(57)【要約】【課題】  操作者に被検体の入れ替えがあった可能性を通知し、操作者が被検体情報の入力操作を忘れ、画像データと実際の被検体情報に不整合が発生する可能性を低減させる医用画像診断装置を提供する。【解決手段】  本発明に係る医用画像診断装置は、被検体を撮影する撮影装置と、前記被検体の情報である被検体情報を入力する入力手段と、前記撮影装置の状態に基づいて前記被検体の入れ替えの可能性を検出する検出手段と、前記検出手段が前記被検体の入れ替えの可能性を検出した場合に当該被検体の入れ替えの可能性の通知を操作者に通知する通知手段と、を備えることを特徴とする。【選択図】          図8
2017217283.tif 000002
【特許請求の範囲】
【請求項１】
被検体を撮影する撮影装置と、
前記被検体の情報である被検体情報を入力する入力手段と、
前記撮影装置の状態に基づいて前記被検体の入れ替えの可能性を検出する検出手段と、
前記検出手段が前記被検体の入れ替えの可能性を検出した場合に当該被検体の入れ替えの可能性の通知を操作者に通知する通知手段と、
を備えることを特徴とする医用画像診断装置。
【請求項２】
前記撮影装置の状態は撮影時間間隔であり、
前記検出手段は前記撮影時間間隔が所定の時間間隔を超えた場合に前記被検体の入れ替えの可能性を検出することを特徴とする請求項１に記載の医用画像診断装置。
【請求項３】
前記撮影装置の状態は撮影枚数であり、
前記入力手段は前記被検体の撮影予定枚数を入力する撮影予定枚数入力手段を有し、
前記検出手段は前記撮影枚数が当該撮影予定枚数に到達した場合に前記被検体の入れ替えの可能性を検出することを特徴とする請求項１に記載の医用画像診断装置。
【請求項４】
前記撮影装置は、前記被検体を載置する天板と、前記被検体を載置したまま前記天板の位置を移動又は傾斜可能に支持する寝台と、を有し、
前記撮影装置の状態は前記天板の位置及び傾斜であり、
前記検出手段は前記天板の位置及び傾斜が所定の状態に戻った場合に前記被検体の入れ替えの可能性を検出することを特徴とする請求項１に記載の医用画像診断装置。
【請求項５】
前記撮影装置は撮影室に設置され、
前記検出手段は前記被検体の前記撮影室への入退室を検出する入退室センサを有し、前記被検体の入退室を検出した場合に前記被検体の入れ替えの可能性を検出することを特徴とする請求項１に記載の医用画像診断装置。
【請求項６】
前記通知手段は前記通知した時刻を記憶する記憶手段を有し、
前記通知手段は前記通知に拘わらず撮影が継続された場合に前記被検体の入れ替えにより前記被検体の画像情報の不整合が発生した可能性を通知することを特徴とする請求項１乃至５のいずれか一項に記載の医用画像診断装置。
【請求項７】
前記撮影装置は前記通知が解除されるまで前記撮影装置の動作を制限する制限手段を有することを特徴とする請求項１乃至６のいずれか一項に記載の医用画像診断装置。
【請求項８】
前記撮影装置はＸ線撮影装置であり、
前記動作の制限はＸ線の照射を禁止することを特徴とする請求項７に記載の医用画像診断装置。
【発明の詳細な説明】
【技術分野】
【０００１】
本発明は、医用画像診断装置に関し、特に複数の被検体を撮影する場合に被検体情報と画像データの不整合が発生する可能性を低減させる技術に関するもの
【背景技術】
【０００２】
医用画像診断装置には、被検体にX線を照射しその透過像を収集して被検体の形態画像を得るX線撮影装置(X線CT装置含む)や、被検体を傾斜磁場内に載置し水素原子核の磁気モーメントの励起エネルギーに相当するラジオ波を照射したのち水素原子核の磁気モーメントが基底状態に戻る時に発生するエコー信号を検出し被検体の形態画像や生体分子の移動情報を得るMRI装置、被検体に超音波を送波しその反射波を検出し被検体の形態画像を得る超音波画像診断装置、等がある。
【０００３】
これらの医用画像診断装置では、複数の被検体の画像情報を区別するため、収集した画像データに被検体情報や撮影情報等を付帯して保存する。これらの付帯情報は、被検体の撮影を開始する際に、操作者によって入力される。しかし、複数の被検体を続けて撮影する場合、被検体の入れ替えがあった時に被検体情報の入力操作を忘れてしまうと、誤った付帯情報が画像データに付帯されることになる。すると、画像データと実際の被検体情報に不整合が発生し、後で付帯情報の修正作業が必要になる場合や、誤った付帯情報に基づいて画像診断による誤診が発生してしまう可能性がある。
【０００４】
このような被検体情報の入力忘れを防止する方法として、被検体情報入力後に装置のディスプレイ上に被検体情報を表示しその確認操作を行わない限り、X線照射の操作を行えないようにする医用画像診断装置が特許文献1に開示されている。
【先行技術文献】
【特許文献】
【０００５】
【特許文献１】特開2013-240390号公報
【発明の概要】
【発明が解決しようとする課題】
【０００６】
しかしながら、特許文献1に記載の医用画像診断装置では、操作者が被検体情報の入力操作そのものを忘れ連続して複数の被検体の撮影を行ってしまった場合に、操作者がそれに気づくきっかけが存在しないため、誤った被検体情報を使用したまま画像データの収集を行ってしまう課題がある。
【０００７】
本発明は、被検体情報の入力操作そのものを忘れてしまう可能性を低減させる医用画像診断装置を提供することを目的とする。
【課題を解決するための手段】
【０００８】
上記課題を解決するために、本発明に係る医用画像診断装置は、被検体を撮影する撮影装置と、前記被検体の情報である被検体情報を入力する入力手段と、前記撮影装置の状態に基づいて前記被検体の入れ替えの可能性を検出する検出手段と、前記検出手段が前記被検体の入れ替えの可能性を検出した場合に当該被検体の入れ替えの可能性の通知を操作者に通知する通知手段と、を備えることを特徴とする。
【０００９】
前記撮影装置の状態の例として、撮影時間間隔、撮影枚数、被検体を載置する天板の位置又は傾斜情報、被検体の撮影室への入退室の検出、等がある。そして、医用画像診断装置を使用した撮影において、被検体情報の入力操作が必要になると想定されるタイミングに、操作者に被検体情報の入力を促したり、撮影装置の動作を制限したりすることにより、被検体情報の入力操作そのものを忘れてしまう可能性を低減する。
【発明の効果】
【００１０】
本発明によれば、操作者に被検体の入れ替えがあった可能性を通知することができ、操作者が被検体情報の入力操作を忘れてしまい、画像データと実際の被検体情報に不整合が発生する可能性を低減させる医用画像診断装置を提供することができる。
【図面の簡単な説明】
【００１１】
【図１】本発明に係わる医用画像診断装置100の概略構成を示す図
【図２】医用画像処理装置110とX線発生装置101及び撮影装置102の接続構成を示す図
【図３】医用画像処理装置110と撮影室301の構成を示す図
【図４】実施例1の動作を示すフローチャート
【図５】実施例2の動作を示すフローチャート
【図６】天板の位置及び傾斜状態を示す図
【図７】実施例3の動作を示すフローチャート
【図８】実施例4の動作を示すフローチャート
【発明を実施するための形態】
【００１２】
以下、本発明の実施の形態について図面を用いて説明する。なお、発明の実施形態を説明するための全図において、同一機能を有するものは同一符号を付け、その繰り返しの説明は省略する。
【００１３】
図1に、本発明に係わる医用画像診断装置の概略構成を示す。
本発明に係わる医用画像診断装置100は、医用画像処理装置110と、X線発生装置101と、撮影装置102を備えている。
【００１４】
医用画像処理装置110は、X線発生装置101と撮影装置102と入退室センサー103との間で制御信号の通信を行うハードウェアインターフェース118と、操作者のポインティング操作を受け付けるマウス111と、操作者のキー入力操作を受け付けるキーボード112と、画像データや操作画面を表示する表示装置113と、演算処理を行うCPU 115と、画像データを保存する磁気ディスク116と、処理内容を一時的に記憶しておくメモリ117と、111〜118の機器の間でデータをやりとりするための共通バス114により構成されている。
【００１５】
操作者は、被検体の撮影を開始する際に、表示装置113に表示される操作画面を確認しながら、マウス111やキーボード112等の入力装置を用いて、画像データに付帯する被検体情報を入力する。撮影後、医用画像処理装置110は、撮影装置102を用いて撮影した画像を画像データとして収集する。CPU115は、取得した画像データをもとに画像処理を行う。画像処理された画像は表示装置113に表示され、必要に応じ共通バス114を介して磁気ディスク116またはメモリ117に保存される。医用画像処理装置110はまた、撮影情報を取得したり、画像データに基づいて読影所見を入力したり、必要な情報を強調し有用な医用画像情報を得たりするためにも用いられる。
【００１６】
表示装置113は、画像データや操作画面を表示する他、以下の実施例において説明するように、操作者に被検体の入れ替えの可能性等の通知情報を表示するのにも用いられる。
【００１７】
図2に、医用画像処理装置110とX線発生装置101及び撮影装置102の接続構成を示す。医用画像処理装置110はハードウェアインターフェースを経由して通信線201でX線発生装置101と通信を行い、X線発生装置101を制御し制御情報を取得する。医用画像処理装置110はハードウェアインターフェースを経由して通信線202で撮影装置102と通信を行い、撮影装置102を制御し制御情報を取得する。操作者200は医用画像処理装置110に被検体情報を入力して撮影を開始する。撮影終了後、操作者200は医用画像処理装置110に撮影終了の情報を入力する。次の被検体の撮影を行う場合、操作者200は医用画像処理装置110に次の被検体の情報を入力して撮影を開始する。
【００１８】
撮影装置102は、照射X線を遮蔽するため、又は磁気シールドするため、撮影室に設置される。図3に、本発明に係わる医用画像処理装置110と撮影室301及び撮影室301のドア302の構成を示す。ドア302の付近には入退室センサー103が備えられており、被検体が撮影室301に入室または撮影室301から退室しドア302を開閉すると入退室を検出するようになっている。医用画像処理装置110はハードウェアインターフェース118を経由して通信線203で入退室センサー103と通信を行い、撮影室301のドア302の開閉に関する情報を取得する。
【実施例１】
【００１９】
図4のフローチャートを用い、本実施例1の動作を説明する。
【００２０】
（ステップS401)
操作者200は、医用画像処理装置110に被検体情報を入力する。
【００２１】
（ステップS402)
操作者200は、表示装置113に表示される操作画面を確認しながら、撮影を開始する。
【００２２】
（ステップS403)
撮影操作あり(YES)の場合、ステップS404に進み、撮影操作がない(NO)の場合、ステップS405に進む。
【００２３】
（ステップS404)
撮影操作があった場合、医用画像処理装置110は撮影時刻を記録する。
【００２４】
（ステップS405)
操作者200が医用画像処理装置110に撮影終了情報を入力した(YES)場合、ステップS411に進み、撮影を終了する。撮影終了情報の入力操作がない(NO)の場合、ステップS406に進む。
【００２５】
（ステップS406)
医用画像処理装置110は、ステップS404で記録した撮影時刻から予め設定した所定の時間間隔を経過したかどうかを確認する。所定の時間間隔を超えた(YES)場合、ステップS407に進み、所定の時間間隔を経過していない(NO)場合、ステップS403に戻り撮影を継続する。
【００２６】
（ステップS407)
医用画像処理装置110は、被検体が入れ替わり次の被検体になっている可能性があるため、表示装置113に被検体情報の入力操作忘れの可能性を示すメッセージを表示し、操作者200に通知する。
【００２７】
（ステップS408)
医用画像処理装置110は、撮影装置102の動作を制限する。撮影装置102がX線撮影装置の場合、X線の照射を禁止状態にする。
【００２８】
（ステップS409)
医用画像処理装置110は、操作者200が、表示装置113に表示された被検体情報の入力操作忘れの可能性を示すメッセージを確認し、通知を解除するまで待機する。
【００２９】
（ステップS410)
操作者200がメッセージを確認し通知を解除すると、医用画像処理装置110は、撮影装置102と通信を行い、撮影装置102の動作の制限を解除する。ステップS403に戻り撮影を継続する。
【００３０】
（ステップS411)
撮影を終了する。
【００３１】
本実施例1では、撮影時刻を記録し撮影時間間隔が所定の時間間隔を経過したかどうかを確認することで被検体の入れ替えがあった可能性を検出し、それを操作者に通知することにより、被検体情報の入力操作を忘れの可能性を低減することができる。
【実施例２】
【００３２】
次に、図5のフローチャートを用い、本実施例2の動作を説明する。
なお、ステップS507〜ステップS511の動作は、図4(実施例1)のステップS407〜ステップS411と同一であるので、その説明を省略する。
【００３３】
（ステップS501)
操作者200は、医用画像処理装置110に被検体情報を入力する。
【００３４】
（ステップS502)
操作者200は、被検体の撮影予定枚数を入力し、撮影を開始する。
【００３５】
（ステップS503)
撮影操作あり(YES)の場合、ステップS504に進み、撮影操作がない(NO)の場合、ステップS505に進む。
【００３６】
（ステップS504)
撮影操作があった場合、医用画像処理装置110は撮影枚数を記録する。
【００３７】
（ステップS505)
操作者200が医用画像処理装置110に撮影終了情報を入力した(YES)場合、ステップS511に進み、撮影を終了する。撮影終了情報の入力操作がない(NO)の場合、ステップS506に進む。
【００３８】
（ステップS506)
医用画像処理装置110は、ステップS504で記録した撮影枚数が、ステップS502で入力した撮影予定枚数に到達したかどうかを確認する。撮影予定枚数に到達した(YES)場合、ステップS507に進み、到達していない(NO)場合、ステップS503に戻り撮影を継続する。
【００３９】
本実施例2では、被検体の撮影枚数が入力した撮影予定枚数に到達したかどうかを確認することで被検体の入れ替えがあった可能性を検出し、それを操作者に通知することにより、被検体情報の入力操作を忘れの可能性を低減することができる。
【実施例３】
【００４０】
次に、図6と図7を用い、本実施例3の医用画像診断装置100を説明する。
本実施例3は、被検体を載置する天板の位置及び傾斜が初期状態に戻ったかどうかを確認して、被検体の入れ替えがあったかどうかを検出するものである。
【００４１】
図6に、撮影装置102の天板の位置及び傾斜状態を示す。撮影開始時の位置及び傾斜は初期状態600である。被検体を載置し撮影が始めると、天板は、操作者200の操作により、傾斜したり(起倒状態601)、移動したり(移動状態602)する。撮影を終了すると初期状態600に戻す。
【００４２】
以下、図7のフローチャートを用い、本実施例3の動作を説明するが、ステップS707〜ステップS711は、図4(実施例1)のステップS407〜ステップS411と同一であるので、その説明を省略する。
【００４３】
（ステップS701)
操作者200は、医用画像処理装置110に被検体情報を入力する。
【００４４】
（ステップS702)
操作者200は、表示装置113に表示される操作画面を確認しながら、撮影を開始する。
【００４５】
（ステップS703)
天板操作の入力があった(YES)の場合、ステップS704に進み、天板操作の入力がない(NO)の場合、ステップS705に進む。
【００４６】
（ステップS704)
天板操作の入力があった場合、医用画像処理装置110は、撮影装置102と通信し、天板の位置及び傾斜状態を制御する。
【００４７】
（ステップS705)
操作者200が医用画像処理装置110に撮影終了情報を入力した(YES)場合、ステップS711に進み、撮影を終了する。撮影終了情報の入力操作がない(NO)の場合、ステップS706に進む。
【００４８】
（ステップS706)
医用画像処理装置110は、天板の位置及び傾斜が初期状態に戻っているかどうかを確認する。初期状態に戻っている(YES)場合、ステップS707に進み、初期状態に戻っていない(NO)場合、ステップS703に戻り撮影を継続する。
【００４９】
本実施例3では、天板の位置及び傾斜が初期状態に戻っているかどうかを確認することで被検体の入れ替えがあった可能性を検出し、それを操作者に通知することにより、被検体情報の入力操作を忘れの可能性を低減することができる。
【実施例４】
【００５０】
次に、図3と図8を用い、本実施例4の医用画像診断装置100を説明する。
本実施例4は、被検体の撮影が終了し次の被検体を撮影する時に、被検体の入退室があり、撮影室301のドア302の付近に備えられた入退室センサー103を用いて、被検体の入れ替えがあったかどうかを検出するものである。
【００５１】
以下、図8のフローチャートを用い、本実施例4の動作を説明するが、ステップS805〜ステップS809は、図4(実施例1)のステップS407〜ステップS411とそれぞれ同一であるので、その説明を省略する。
【００５２】
（ステップS801)
操作者200は、医用画像処理装置110に被検体情報を入力する。
【００５３】
（ステップS802)
操作者200は、表示装置113に表示される操作画面を確認しながら、撮影を開始する。
【００５４】
（ステップS803)
操作者200が医用画像処理装置110に撮影終了情報を入力した(YES)場合、ステップS809に進み、撮影を終了する。撮影終了情報の入力操作がない(NO)の場合、ステップS804に進む。
【００５５】
（ステップS804)
医用画像処理装置110は、ハードウェアインターフェース118を経由して撮影室301のドア302の付近に備えられた入退室センサー103と通信を行い、被検体の入退室時に生じるドア302の開閉があったかどうかを確認する。ドア302の開閉があった(YES)場合、ステップS805に進み、なかった(NO)場合、ステップS803に戻り撮影を継続する。
【００５６】
本実施例4では、撮影室301のドア302の開閉を確認することで被検体の入れ替えがあった可能性を検出し、それを操作者に通知することにより、被検体情報の入力操作を忘れの可能性を低減することができる。
【実施例５】
【００５７】
本実施例5は、上記に各実施例において、被検体の入れ替えの可能性を示すメッセージを表示し操作者200に通知した場合、磁気ディスク116に通知した警告メッセージの表示時間を記録する。
【００５８】
本実施例5により、被検体情報の入力操作忘れの可能性を無視して被検体の撮影が継続された可能性を事後に確認することができ、被検体情報の入力忘れによる画像データと被検体情報の不整合を修正することができる。
【００５９】
これまで説明した構成はあくまで一例であり、本発明は、技術思想を逸脱しない範囲内で適宜変更したり組み合わせたりすることが可能である。例えば、通知手段の例として表示装置113にメッセージを表示する例を記載したが、アラームによって操作者に被検体情報の入力操作忘れの可能性を通知したり、表示装置113の画面が点滅することにより操作者に通知したりしてもよい。
【符号の説明】
【００６０】
100  医用画像診断装置、101  X線発生装置、102  撮影装置、103  入退室センサ、110  医用画像処理装置、111  マウス、112  キーボード、113  表示装置、114  共通バス、115  CPU、116  磁気ディスク、117  メモリ、118  ハードウェアインターフェース、200  操作者、201  通信線、202  通信線、203  通信線、301  撮影室、302  ドア、600  初期状態、601  起倒状態、602  移動状態
【図１】
2017217283.tif 000003
【図２】
2017217283.tif 000004
【図３】
2017217283.tif 000005
【図４】
2017217283.tif 000006
【図５】
2017217283.tif 000007
【図６】
2017217283.tif 000008
【図７】
2017217283.tif 000009
【図８】
2017217283.tif 000010